(57)【要約】【課題】長時間継続している設備異常について注意を促すことで、設備の管理業務の効率を向上させることを可能とする。【解決手段】フラグ格納部１１は、現場設備２０の状態が異常状態であるか否かを示すフラグを格納する。警報継続状況監視部１４は、フラグ格納部１１に格納されたフラグに基づいて、現場設備２０が一定時間以上継続して異常状態であるか否かを判定する。警報表示部１５は、現場設備２０が一定時間以上継続して異常状態であると警報継続状況監視部１４によって判定された場合、当該設備が異常状態であることを通知する。【選択図】      図１
2009134616.tif 000002
【特許請求の範囲】
【請求項１】
一定の範囲内に設けられている設備の状態を監視する中央監視システムにおいて、
前記設備の状態が異常状態であるか否かを示すフラグを格納するフラグ格納手段と、
前記フラグ格納手段に格納されたフラグに基づいて、前記設備が一定時間以上継続して異常状態であるかを判定する継続判定手段と、
前記設備が一定時間以上継続して異常状態であると前記第２の判定手段によって判定された場合、当該設備が異常状態であることを通知する通知手段と
を具備することを特徴とする中央監視システム。
【請求項２】
前記フラグ格納手段は、前記設備の状態に応じて値が更新されるカウンタを更に格納し、
前記継続判定手段は、
前記フラグ格納手段に格納されたフラグが、前記設備が異常状態であることを示すかを定期的に判定するフラグ判定手段と、
前記設備が異常状態であることを示すと前記フラグ判定手段によって判定された場合、前記カウンタの値を増加させる増加手段と
を含み、
前記カウンタの値が予め定められた値を超えた場合に、前記設備が一定時間以上継続して異常状態であると判定する
ことを特徴とする請求項１記載の中央監視システム。
【請求項３】
前記継続判定手段は、前記設備が一定時間以上継続して異常状態であると判定された場合、前記カウンタの値をリセットするリセット手段を更に含むことを特徴とする請求項２記載の中央監視システム。
【請求項４】
前記リセット手段は、前記設備が異常状態でないことを示すと前記フラグ判定手段によって判定された場合、前記カウンタの値をリセットすることを特徴とする請求項３記載の中央監視システム。
【請求項５】
前記設備の状態を示す設備状態情報を入力する状態入力手段と、
前記入力された設備状態情報が異常状態を示すかを判定する異常判定手段と、
前記入力された設備状態情報が異常状態を示すと前記異常判定手段によって判定された場合、前記設備が異常状態であることを示す第１のフラグを前記フラグ格納手段に書き込む第１の書き込み手段と、
前記入力された設備状態情報が異常状態を示さないと前記異常判定手段によって判定された場合、前記設備が異常状態でないことを示す第２のフラグを前記フラグ格納手段に書き込む第２の書き込み手段と
を更に具備することを特徴とする請求項１記載の中央監視システム。
【請求項６】
前記通知手段は、前記入力された設備状態情報が異常状態を示すと前記異常判定手段によって判定された場合、前記設備が異常状態であることを通知することを特徴とする請求項２記載の中央監視システム。
【請求項７】
ユーザの操作に応じて、前記異常状態である設備に対するコメントを入力するコメント入力手段と、
前記コメント入力手段によって入力されたコメントを前記設備に対応付けて保持するコメントテーブルと、
を更に具備し、
前記通知手段は、前記設備が異常状態であることを通知すると共に、当該設備に対応付けて前記コメントテーブルに保持されているコメントを通知する
ことを特徴とする請求項１記載の中央監視システム。
【発明の詳細な説明】
【技術分野】
【０００１】
本発明は、ビル施設内に設けられている各種設備の運転状況の監視を行う中央管理システムに関する。
【背景技術】
【０００２】
近年、例えばビル等の大規模施設においては、当該施設内に散在する各種設備（例えば電気、空調、衛生等）の動作状態を監視室等に設置されたモニタ画面にて集中的に監視または制御する中央監視システム（ビル監視システム）が導入されている。この中央監視システムにより、例えばオペレータはモニタ画面等が設置されている一室で各種設備の監視が行えるため、効率的にビルの設備管理を行うことができる。
【０００３】
このような中央監視システムでは、例えばビル内に設けられている膨大な数の設備を集中的に監視する必要がある。このため、中央監視システムには、監視業務上重要な情報を優先的に通知するための手段として、設備に異常が発生した際に警報音を鳴らすとともに当該異常の内容を画面上に表示する警報表示機能が備えられるのが一般的である。これにより、中央監視システムを用いてビルを監視するオペレータは、設備に発生した異常（以下、設備異常と表記）を認識することができる。
【０００４】
上記したような中央監視システムに関連した技術として、例えば入力する複数のデータをもとに計算処理を実施し、プロセスデータ及びその計算結果を制限値と比較して警報判定を実施する技術が開示されている（例えば、特許文献１を参照）。
【０００５】
ところで、発生する設備異常によっては、例えば復旧までに時間を要する場合がある。この場合、設備異常が継続しているか否かは、例えばオペレータが中央監視システムを操作することにより、例えば現在発生している設備異常の一覧（警報一覧画面）を画面上に表示させて確認することができる。
【特許文献１】特開２００７−２３３５６７号公報
【発明の開示】
【発明が解決しようとする課題】
【０００６】
上記したように中央監視システムにおいては、例えば設備異常が継続しているか否かの確認は、オペレータの任意の操作によって行われる。このため、例えばオペレータが確認操作等を怠ることにより、オペレータの設備異常への認識が薄れ、長時間継続している設備異常が放置される可能性を否定できない。このように、例えば長時間継続して設備異常が放置された場合、当該設備異常が原因となり事故等が発生する可能性がある。
【０００７】
また、設備異常が長時間継続している場合には、異常発生時の経緯または異常状態が長期化している要因についても、オペレータの認識が薄れることが懸念される。
【０００８】
本発明の目的は、長時間継続している設備異常について注意を促すことで、設備の管理業務の効率を向上させる中央監視システムを提供することにある。
【課題を解決するための手段】
【０００９】
本発明の１つの態様によれば、一定の範囲内に設けられている設備の状態を監視する中央監視システムが提供される。この中央監視システムは、前記設備の状態が異常状態であるか否かを示すフラグを格納するフラグ格納手段と、前記フラグ格納手段に格納されたフラグに基づいて、前記設備が一定時間以上継続して異常状態であるかを判定する継続判定手段と、前記設備が一定時間以上継続して異常状態であると前記第２の判定手段によって判定された場合、当該設備が異常状態であることを通知する通知手段とを具備する。
【発明の効果】
【００１０】
本発明によれば長時間継続している設備異常について注意を促すことで、設備の管理業務の効率を向上させることを可能とする。
【発明を実施するための最良の形態】
【００１１】
以下、図面を参照して、本発明の各実施形態について説明する。
【００１２】
［第１の実施形態］
図１は、本発明の第１の実施形態に係る中央監視システム（ビル監視システム）の主として機能構成を示すブロック図である。
【００１３】
図１に示す中央監視システム１０は、例えばビル等の大規模施設のような一定の範囲内に設けられている電気、空調または衛生等の各種設備（以下、現場設備と表記）２０の動作状態を監視するシステムである。なお、中央監視システム１０は、複数の現場設備の動作状態を監視するが、便宜的に図１には現場設備２０以外の現場設備については省略されている。
【００１４】
図１に示すように、中央監視システム１０は、フラグ格納部１１、状態入力部１２、警報検出部１３、警報継続状況監視部１４及び警報表示部１５を含む。
【００１５】
フラグ格納部１１には、例えば中央監視システム１０によって監視される現場設備２０（を識別する設備ＩＤ）に対応付けて、当該現場設備２０の動作状態が異常状態であるか否かを示すフラグが格納される。また、フラグ格納部１１には、例えば現場設備２０に対応付けて、当該現場設備２０の動作状態に応じて値が更新される警報継続カウンタ（以下、単にカウンタと表記）が格納される。以下、現場設備２０の動作状態が異常状態であることを示すフラグ（第１のフラグ）をＯＮ、一方、異常状態でない（つまり、正常状態である）ことを示すフラグ（第２のフラグ）をＯＦＦとして説明する。
【００１６】
状態入力部１２は、中央監視システム１０の監視対象となる現場設備２０を識別する設備ＩＤを含む設備状態情報を、当該現場設備２０から入力する。この設備状態情報は、当該設備状態情報に含まれる設備ＩＤによって識別される現場設備２０の動作状態（正常状態または異常状態）を示す。
【００１７】
警報検出部１３は、状態入力部１１によって入力された設備状態情報を取得する。警報検出部１３は、取得された設備状態情報が異常状態（または正常状態）を示すか否かを判定する。これにより、警報検出部１３は、取得された設備状態情報に含まれる設備ＩＤによって識別される現場設備２０の異常の発生、継続または当該異常（状態）からの復帰等を検出する。
【００１８】
また、警報検出部１３は、取得された設備状態情報に基づいて、フラグ（ＯＮまたはＯＦＦ）を当該設備状態情報に含まれる設備ＩＤ（によって識別される現場設備２０）に対応付けてフラグ格納部１１に書き込む。
【００１９】
警報継続状況監視部１４は、例えばフラグ格納部１１を参照して、現場設備２０の異常状態の継続状況を定期的に監視する。警報継続状況監視部１４は、例えば現場設備２０を識別する設備ＩＤに対応付けてフラグ格納部１１に格納されているフラグがＯＮである場合には、当該設備ＩＤに対応付けてフラグ格納部１１に格納されているカウンタの値を増加（例えば、プラス１）させる。警報継続状況監視部１４は、現場設備２０を識別する設備ＩＤに対応付けてフラグ格納部１１に格納されているカウンタの値に基づいて、当該現場設備２０が一定時間以上継続して異常状態であるか否かを判定する。
【００２０】
警報表示部１５は、警報検出部１３によって取得された設備状態情報が異常状態を示すと判定された場合、当該設備状態情報に含まれる設備ＩＤによって識別される現場設備２０が異常状態であることを通知する。また、警報表示部１５は、現場設備２０が一定時間以上継続して異常状態であると警報継続状況監視部１４によって判定された場合、当該現場設備２０が異常状態であることを通知する。この場合、警報表示部１５は、例えば現場設備２０に異常が発生していることを画面に表示することによりオペレータに通知する。中央監視システム１０を利用するオペレータは、この表示画面を確認することで、現場設備２０に異常が発生したことを認識することができる。
【００２１】
図２は、図１に示すフラグ格納部１１のデータ構造の一例を示す。図２に示すように、フラグ格納部１１には、例えば現場設備２０の設備名のような現場設備２０を識別する設備識別情報（設備ＩＤ）に対応付けて、フラグ及びカウンタ（の値）が格納されている。
【００２２】
図２に示す例では、フラグ格納部１１には、設備ＩＤ「Ａ」に対応付けて、フラグ「ＯＦＦ」及びカウンタの値「０」が格納されている。また、フラグ格納部１１には、設備ＩＤ「Ｂ」に対応付けて、フラグ「ＯＮ」及びカウンタの値「５０」が格納されている。
【００２３】
次に、図３のフローチャートを参照して、中央監視システム１０に含まれる警報検出部１３の処理手順について説明する。
【００２４】
まず、警報検出部１３は、状態入力部１１によって入力された設備状態情報を取得する（ステップＳ１）。この設備状態情報は、中央監視システム１０の監視対象となる現場設備２０を識別する設備ＩＤを含む。また、設備状態情報は、当該設備状態情報に含まれる設備ＩＤによって識別される現場設備２０の動作状態を示す。
【００２５】
次に、警報検出部１３は、取得された設備状態情報が異常状態を示すか否かを判定する（ステップＳ２）。これにより、警報検出部１３は、取得された設備状態情報に含まれる設備ＩＤによって識別される現場設備２０の異常の発生等を検出する。
【００２６】
取得された設備状態情報が異常状態を示すと判定された場合（ステップＳ２のＹＥＳ）、警報検出部１３は、当該設備状態情報に含まれる設備ＩＤに対応付けてフラグ格納部１１に格納されているフラグがＯＮであるか否かを判定する（ステップＳ３）。
【００２７】
フラグがＯＮでない、つまり、ＯＦＦである場合（ステップＳ３のＮＯ）、警報検出部１３は、当該フラグをＯＮに書き換える（ステップＳ４）。
【００２８】
また、警報検出部１３は、取得された設備状態情報に含まれる設備ＩＤによって識別される現場設備２０が異常状態である旨の通知（警報発生通知）を警報表示部１５に対して出力する（ステップＳ５）。この警報発生通知には、取得された設備状態情報に含まれる設備ＩＤが含まれる。
【００２９】
警報表示部１５は、警報検出部１３によって出力された警報発生通知に応じて、当該警報発生通知に含まれる設備ＩＤによって識別される現場設備２０が異常状態であること（現場設備２０に異常が発生したこと）を例えばモニタ等の画面に表示する。これにより、現場設備２０の異常の発生が例えばオペレータに警報として通知される。
【００３０】
一方、ステップＳ２において設備状態情報が異常状態を示さない、つまり、正常状態を示すと判定された場合、警報検出部１３は、当該設備状態情報に含まれる設備ＩＤに対応付けてフラグ格納部１１に格納されているフラグがＯＮであるか否かを判定する（ステップＳ６）。
【００３１】
フラグがＯＮである場合（ステップＳ６のＹＥＳ）、警報検出部１３は、当該フラグをＯＦＦに書き換える（ステップＳ７）。一方、フラグがＯＮでない、つまり、ＯＦＦであると判定された場合（ステップＳ６のＮＯ）、ステップＳ７の処理は実行されず、処理は終了される。
【００３２】
また、ステップＳ３においてフラグがＯＮであると判定された場合、ステップＳ４及びステップＳ５の処理は実行されず、処理は終了される。
【００３３】
次に、図４のフローチャートを参照して、中央監視システム１０に含まれる警報継続状況監視部１４の処理手順について説明する。警報継続状況監視部１４は、例えば定期的に（予め定められた間隔で）下記に示す処理を実行する。
【００３４】
まず、警報継続状況監視部１４は、例えば監視対象となる現場設備（以下、対象設備と表記）２０を識別する設備ＩＤに対応付けてフラグ格納部１１に格納されているフラグを読み出す（ステップＳ１１）。
【００３５】
警報継続状況監視部１４は、読み出されたフラグがＯＮであるか否かを判定する（ステップＳ１２）。
【００３６】
読み出されたフラグがＯＮであると判定された場合（ステップＳ１２のＹＥＳ）、警報継続状況監視部１４は、対象設備２０を識別する設備ＩＤに対応付けてフラグ格納部１１に格納されているカウンタの値に１を加える（ステップＳ１３）。
【００３７】
次に、警報継続状況監視部１４は、対象設備２０を識別する設備ＩＤに対応付けてフラグ格納部１１に格納されているカウンタの値が規定値（例えば、１００）以上であるか否かを判定する（ステップＳ１４）。この規定値は、予め設定されている値であり、例えばオペレータ等により設定（変更）可能である。
【００３８】
カウンタの値が規定値以上であると判定された場合（ステップＳ１４のＹＥＳ）、警報継続状況監視部１４は、対象設備２０が一定時間以上継続して異常状態であると判定する。この場合、警報継続状況監視部１４は、警報発生通知を警報表示部１５に対して出力する（ステップＳ１５）。この警報発生通知には、対象設備を識別する設備ＩＤが含まれる。
【００３９】
警報表示部１５は、警報継続状況監視部１４によって出力された警報発生通知に応じて、当該警報発生通知に含まれる設備ＩＤによって識別される対象設備２０が（一定時間以上継続して）異常状態であることを例えばモニタ等の画面に表示する。これにより、対象設備２０が異常状態であることが、警報としてオペレータに対して通知される。
【００４０】
警報発生通知が出力されると、警報継続状況監視部１４は、対象設備２０を識別する設備ＩＤに対応付けてフラグ格納部１１に格納されているカウンタの値をリセットする（ステップＳ１６）。この場合、警報継続状況監視部１４は、カウンタの値を例えば０にする。
【００４１】
一方、ステップＳ１２において、読み出されたフラグがＯＮでない、つまり、ＯＦＦであると判定された場合、ステップＳ１６の処理が実行される。
【００４２】
また、ステップＳ１４においてカウンタの値が規定値以上でない（規定値未満）と判定された場合、ステップＳ１５及びステップＳ１６の処理は実行されず、処理は終了される。
【００４３】
なお、例えば中央監視システム１０の監視対象となる現場設備（対象設備）２０が複数存在する場合には、当該複数の現場設備２０の各々について上記した処理が定期的に実行される。
【００４４】
また、上記したように警報継続状況監視部１４は図４に示す処理を定期的に実行するが、当該処理を実行する間隔は、例えばオペレータ等が設定することが可能である。
【００４５】
上記したように本実施形態においては、現場設備２０を識別する設備ＩＤに対応付けてフラグ格納部１１に格納されているフラグ及びカウンタ（の値）に基づいて当該現場設備２０が一定時間以上継続して異常状態であると判定された場合には、当該現場設備２０が異常状態であることが警報表示される。これにより、本実施形態においては、例えば現場設備２０に異常が発生した後、当該異常状態が継続している場合には、一定時間間隔で（周期的に）例えばオペレータ等に警報が通知される。したがって、本実施形態によれば、長時間継続している現場設備２０の異常状態（設備異常）についてオペレータに対して注意を促すことで、現場設備２０の管理業務の効率を向上させることが可能となる。
【００４６】
［第２の実施形態］
次に、図５を参照して、本発明の第２の実施形態について説明する。図５は、本実施形態に係る中央監視システムの主として機能構成を示すブロック図である。なお、前述した図１と同様の部分には同一参照符号を付してその詳しい説明を省略する。ここでは、図１と異なる部分について主に述べる。
【００４７】
図５に示す中央監視システム１００は、コメント入力部１０１、警報コメント登録処理部１０２、コメントテーブル１０３及びフラグ格納部１０４を含む。
【００４８】
コメント入力部１０１は、例えばオペレータ（ユーザ）の操作に応じて、異常状態である現場設備２０に対するコメント（を示す情報）を入力する。コメント入力部１０１は、入力されたコメントとともに、当該コメントされた現場設備２０を識別する設備ＩＤを入力する。なお、コメント入力部１０１によって入力されるコメントは、例えば「修理依頼中」のような現場設備２０に発生した異常（の要因等）に関するオペレータのコメントである。
【００４９】
警報コメント登録処理部１０２は、コメント入力部１０１によって入力されたコメントをコメントテーブル１０３に登録する。このとき、警報コメント登録処理部１０２は、例えばコメント入力部１０１によって入力されたコメントを、当該コメントを識別するコメントＩＤに対応付けて登録する。
【００５０】
また、警報コメント登録処理部１０２は、コメントテーブル１０３に登録されたコメントを識別するコメントＩＤを、コメント入力部１０１によって入力された設備ＩＤに対応付けてフラグ格納部１０４に格納する。
【００５１】
警報コメント登録処理部１０２は、コメントテーブル１０３に登録（保持）されているコメントを警報表示部１０５に対して出力（送信）する。
【００５２】
警報表示部１０５は、警報コメント登録処理部１０２によって出力されたコメントを入力する。警報表示部１０５は、入力されたコメントを表示することにより、例えばオペレータに通知する。
【００５３】
なお、前述した第１の実施形態においては警報検出部１３及び警報継続状況監視部１４は警報発生通知を警報表示部１５に出力するものとして説明したが、本実施形態においては、当該警報発生通知を警報コメント登録処理部１０２に出力する。この点以外の警報検出部１３及び警報継続状況監視部１４の処理については、前述した第１の実施形態と同様であるため、その説明は省略する。
【００５４】
図６は、図５に示すコメントテーブル１０３のデータ構造の一例を示す。図５に示すように、コメントテーブル１０３には、コメントＩＤ及びコメント（内容）が保持されている。
【００５５】
図６に示す例では、コメントテーブル１０３には、コメントＩＤ「１」に対応付けてコメント「○○○」が保持されている。また、コメントテーブル１０３には、コメントＩＤ「２」に対応付けてコメント「×××」が保持されている。
【００５６】
図７は、図５に示すフラグ格納部１０４のデータ構造の一例を示す。図７に示すように、フラグ格納部１０４には、設備ＩＤに対応付けてフラグ、カウンタ及びコメントＩＤが格納されている。このコメントＩＤは、上記したコメントテーブル１０３に登録されているコメントＩＤである。なお、設備ＩＤ、フラグ及びカウンタは、前述した第１の実施形態と同様であるので説明は省略する。
【００５７】
図７に示す例では、フラグ格納部１０４には、設備ＩＤ「Ａ」に対応付けて、フラグ「ＯＦＦ」、カウンタ（の値）「０」及びコメントＩＤ「１」が格納されている。また、フラグ格納部１０４には、設備ＩＤ「Ｂ」に対応付けて、フラグ「ＯＮ」、カウンタ（の値）「５０」及びコメントＩＤ「２」が格納されている。
【００５８】
ここで、上記した図６及び図７を参照すると、例えば設備ＩＤ「Ａ」に対応付けてフラグ格納部１０４に格納されているコメントＩＤは「１」であり、当該コメントＩＤ「１」に対応付けてコメントテーブル１０３に保持されているコメントは「○○○」である。つまり、図６及び図７に示す例では、設備ＩＤ「Ａ」によって識別される現場設備２０に対するコメントは「○○○」である。
【００５９】
同様に、図６及び図７を参照すると、例えば設備ＩＤ「Ｂ」に対応付けてフラグ格納部１０４に格納されているコメントＩＤは「２」であり、当該コメントＩＤ「２」に対応付けてコメントテーブル１０３に保持されているコメントは「○○○」である。つまり、図６及び図７に示す例では、設備ＩＤ「Ｂ」によって識別される現場設備２０に対するコメントは「○○○」である。
【００６０】
次に、図８のフローチャートを参照して、コメント入力部１０１によってコメント（及び設備ＩＤ）が入力された際の警報コメント登録処理部１０２の処理手順について説明する。
【００６１】
警報コメント登録処理部１０２は、コメント入力部１０１によって入力されたコメントを取得する（ステップＳ２１）。また、警報コメント登録処理部１０２は、コメント入力部１０１によって入力された設備ＩＤを取得する。この取得されたコメントは、取得された設備ＩＤによって識別され縷言場設備２０に対するコメントである。
【００６２】
次に、警報コメント登録処理部１０２は、取得されたコメントをコメントテーブル１０３に登録する（ステップＳ２２）。このとき、警報コメント登録処理部１０２は、取得されたコメントを、当該コメントを識別するコメントＩＤに対応付けて登録する。
【００６３】
また、警報コメント登録処理部１０２は、ステップ２においてコメントテーブル１０３に登録されたコメントを識別するコメントＩＤをフラグ格納部１０４に格納する（ステップＳ２３）。このとき、警報コメント登録処理部１０２は、コメントＩＤを、取得された設備ＩＤに対応付けて格納する。
【００６４】
次に、図９のフローチャートを参照して、上記したように警報検出部１３または警報継続状況監視部１４によって警報発生通知が出力された際の警報コメント登録処理部１０２の処理手順について説明する。この警報発生通知には、前述したように設備ＩＤが含まれる。
【００６５】
まず、警報コメント登録処理部１０２は、警報検出部１３または警報継続状況監視部１４によって出力された警報発生通知を入力する（ステップＳ３１）。
【００６６】
次に、警報コメント登録処理部１０２は、入力された警報発生通知に含まれる設備ＩＤに対応付けてフラグ格納部１０４に格納されているコメントＩＤを特定する（ステップＳ３２）。
【００６７】
警報コメント登録処理部１０２は、特定されたコメントＩＤに対応付けてコメントテーブル１０３に保持されているコメントを取得する（ステップＳ３３）。ここで取得されたコメントは、ステップＳ３１において入力された警報発生通知に含まれる設備ＩＤによって識別される現場設備２０に対するコメントである。
【００６８】
警報コメント登録処理部１０２は、ステップＳ３１において入力された警報発生通知及びステップＳ３３において取得されたコメントを警報表示部１０５に対して出力する（ステップＳ３４）。
【００６９】
警報表示部１５は、警報コメント登録処理部１０２によって出力された警報発生通知に応じて、当該警報発生通知に含まれる設備ＩＤによって識別される現場設備２０が異常状態であることを例えばモニタ等の画面に表示する。このとき、警報表示部１５は、警報コメント登録処理部１０２によって出力されたコメントを例えばモニタ等の画面に表示する。この画面に表示されたコメントをオペレータが確認することにより、当該オペレータは、現場設備２０の異常状態（状況）の要因等を認識することができる。
【００７０】
上記したように本実施形態においては、長時間継続している現場設備２０の異常状態を周期的に通知する際に、コメントテーブル１０３に保持（蓄積）されている当該継続中の現場設備２０の異常状態の要因等に関するオペレータのコメントが表示される。これにより、例えば中央監視システム１００が複数のオペレータにより利用されるような場合には、当該複数のオペレータ間で例えば異常発生時の経緯や異常状態が長期化している要因等（設備異常に関する情報）を共有することができるため、現場設備２０の管理業務の効率を向上させることが可能となる。
【００７１】
なお、本願発明は、上記各実施形態そのままに限定されるものではなく、実施段階ではその要旨を逸脱しない範囲で構成要素を変形して具体化できる。また、上記各実施形態に開示されている複数の構成要素の適宜な組合せにより種々の発明を形成できる。例えば、各実施形態に示される全構成要素から幾つかの構成要素を削除してもよい。更に、異なる実施形態に亘る構成要素を適宜組合せてもよい。
【図面の簡単な説明】
【００７２】
【図１】本発明の第１の実施形態に係る中央監視システムの主として機能構成を示すブロック図。
【図２】図１に示すフラグ格納部１１のデータ構造の一例を示す図。
【図３】中央監視システム１０に含まれる警報検出部１３の処理手順を示すフローチャート。
【図４】中央監視システム１０に含まれる警報継続状況監視部１４の処理手順を示すフローチャート。
【図５】本発明の第２の実施形態に係る中央監視システムの主として機能構成を示すブロック図。
【図６】図５に示すコメントテーブル１０３のデータ構造の一例を示す図。
【図７】図５に示すフラグ格納部１０４のデータ構造の一例を示す図。
【図８】コメントが入力された際の警報コメント登録処理部１０２の処理手順を示すフローチャート。
【図９】警報発生通知が出力された際の警報コメント登録処理部１０２の処理手順を示すフローチャート。
【符号の説明】
【００７３】
１０，１００…中央監視システム、１１，１０４…フラグ格納部、１２…状態入力部、１３…警報検出部、１４…警報継続状況監視部、１５，１０５…警報表示部、１０１…コメント入力部、１０２…警報コメント登録処理部、１０３…コメントテーブル。
【図１】
2009134616.tif 000003
【図２】
2009134616.tif 000004
【図３】
2009134616.tif 000005
【図４】
2009134616.tif 000006
【図５】
2009134616.tif 000007
【図６】
2009134616.tif 000008
【図７】
2009134616.tif 000009
【図８】
2009134616.tif 000010
【図９】
2009134616.tif 000011